(57)【要約】【課題】  外部装置の利用によって無線通信することができる眼用レンズシステムを提供する。【解決手段】  このシステムは、第１の眼上の第１の眼用レンズ及び第２の眼上の第２の眼用レンズを含み、これらのレンズが、外部装置の使用を通してデータを送受信することによって相互に無線通信するように構成され得る、眼用レンズシステムを含む。り具体的には、実施形態によっては、外部装置が、眼用レンズより高い計算能力及びエネルギー印加能力を備える電子的構成要素を含み得る。【選択図】  図１Ａ
2015061597.tif 000002
【特許請求の範囲】
【請求項１】
外部装置を利用することにより無線通信が可能な眼用レンズシステムであって、
前記外部装置と無線通信するように構成された第１の眼上の第１の眼用レンズであって、
第１のレンズ送信機と、
第１のレンズ受信機と、
前記第１のレンズ送信機及び前記第１のレンズ受信機と電気的通信状態にある第１のレンズプロセッサと、
前記第１の眼上に配置され、かつ前記第１のレンズ送信機、前記第１のレンズ受信機、及び前記第１のレンズプロセッサの１つ又は２つ以上の少なくとも一部を封入するように構成された第１の軟性レンズ部分と、を含み、前記外部装置が、装置電源、装置送信機、装置受信機、並びに、前記装置電源、前記装置送信機、及び前記装置受信機と電気的通信状態にある装置プロセッサを含む、第１の眼用レンズと、
前記第１の眼用レンズ及び前記外部装置の一方又は両方と無線通信するように構成された第２の眼上の第２の眼用レンズであって、
第２のレンズ送信機と、
第２のレンズ受信機と、
前記第２のレンズ送信機及び前記第２のレンズ受信機と電気的通信状態にある第２のレンズプロセッサと、
前記第２の眼上に配置され、かつ前記第２のレンズ送信機、前記第２のレンズ受信機、及び前記第２のレンズプロセッサの１つ又は２つ以上の少なくとも一部を封入するように構成された第２の軟性レンズ部分と、を含み、前記装置プロセッサが、前記第１のレンズプロセッサ及び前記第２のレンズプロセッサの一方又は両方よりも大きい計算能力を有するように構成された、第２の眼用レンズと、を含む、眼用レンズシステム。
【請求項２】
前記第１の眼用レンズ及び前記第２の眼用レンズの一方又は両方が、前記眼用レンズシステムにエネルギーを印加するように構成されたレンズ電源を更に含み、前記レンズ電源が、前記外部装置電源よりも小さいエネルギー印加能力を備える、請求項１に記載の眼用レンズシステム。
【請求項３】
前記外部装置受信機が、前記第１及び第２のレンズ受信機よりも高い感度を有するように構成された、請求項１に記載の眼用レンズシステム。
【請求項４】
前記外部装置が、前記眼用レンズシステムにエネルギーを印加することができる、請求項１に記載の眼用レンズシステム。
【請求項５】
第１の機能性を更に備え、前記第１の機能性が前記眼用レンズシステムの主目的を含む、請求項１に記載の眼用レンズシステム。
【請求項６】
前記第１のレンズ受信機及び前記第１のレンズ送信機の一方又は両方が、前記第２のレンズ受信機及び前記第２のレンズ送信機の一方又は両方と通信することができる、請求項１に記載の眼用レンズシステム。
【請求項７】
前記第１のレンズプロセッサ及び前記第２のレンズプロセッサの一方又は両方が論理ブロックを含む、請求項１に記載の眼用レンズシステム。
【請求項８】
前記第１の眼用レンズが、前記第１の眼の注視位置又は第１のまぶたのまぶた位置の一方又は両方を追跡するように構成された第１の位置検知機構を更に含む、請求項１に記載の眼用レンズシステム。
【請求項９】
前記無線通信が、前記第１の眼用レンズと前記外部装置との間の第１のデータの交換と、前記外部装置と前記第２の眼用レンズとの間の第２のデータの交換と、を含む、請求項１に記載の眼用レンズシステム。
【請求項１０】
前記無線通信が、前記眼用レンズシステムに対して前記外部装置に対してよりも少ないエネルギー及び計算能力を要求するように構成された無線プロトコルを含む、請求項１に記載の眼用レンズシステム。
【請求項１１】
前記装置受信機が、低雑音増幅器を含む、請求項３に記載の眼用レンズシステム。
【請求項１２】
前記眼用レンズシステム及び前記外部装置の一方又は両方が、前記眼用レンズシステムの前記機能性をプログラミング又は操作するように構成される、請求項５に記載の眼用レンズシステム。
【請求項１３】
前記第２の眼用レンズが、前記第２の眼の注視位置又は第２のまぶたのまぶた位置の一方又は両方を追跡するように構成された第２の位置検知機構を更に含む、請求項８に記載の眼用レンズシステム。
【請求項１４】
前記第２のデータの交換が、前記外部装置からのデータの前記第２の眼用レンズへの送信を含み、前記送信が前記第１のデータの交換に反応してのものである、請求項９に記載の眼用レンズシステム。
【請求項１５】
前記外部装置が、前記無線プロトコル用に構成された無線通信機構を含む、請求項１０に記載の眼用レンズシステム。
【請求項１６】
前記第１の機能性が、前記第１の眼用レンズの操作を含む、請求項１２に記載の眼用レンズシステム。
【請求項１７】
前記第１の機能性が、前記第１の眼用レンズと前記第２の眼用レンズとの併せた操作を含む、請求項１２に記載の眼用レンズシステム。
【請求項１８】
前記第１の位置検知機構と、前記第１のレンズプロセッサ及び前記装置プロセッサの一方又は両方との間、並びに前記第２の位置検知機構と、前記第２のレンズプロセッサ及び前記装置プロセッサの一方又は両方との間のインターフェース接続を可能にするように構成された信号調整機構を更に含む、請求項１３に記載の眼用レンズシステム。
【請求項１９】
前記眼用レンズシステムが、前記第１の眼と前記第２の眼との間の輻輳を追跡するように構成され、前記輻輳が、前記第１の眼及び前記第２の眼の前記注視位置及び前記まぶた位置の一方又は両方に基づく、請求項１３に記載の眼用レンズシステム。
【請求項２０】
前記外部装置、前記第１の眼用レンズ、及び前記第２の眼用レンズの１つ又は２つ以上が、前記第１の眼の前記注視位置、前記第２の眼の前記注視位置、前記第１の眼の前記まぶた位置、及び前記第２の眼の前記まぶた位置の１つ又は２つ以上の随意運動と不随意運動とを判別するように構成された、請求項１３に記載の眼用レンズシステム。
【請求項２１】
前記無線通信機構がドングルを含み、前記ドングルが前記外部装置に取り付けられるように構成される、請求項１５に記載の眼用レンズシステム。
【請求項２２】
前記信号調整機構が増幅器を含む、請求項１８に記載の眼用レンズシステム。
【請求項２３】
前記信号調整機構がアナログデジタル変換器を含む、請求項１８に記載の眼用レンズシステム。
【発明の詳細な説明】
【技術分野】
【０００１】
本発明は、二次的電子外部装置を利用することによってレンズが相互に通信し得る眼用レンズシステムに関連する方法、機器、及び装置に関する。より具体的には、本発明は、二次的電子外部装置に依存することで、眼用レンズ内における電力、通信、及び処理上の必要要件を低減し得る、眼用レンズシステムに関する。
【背景技術】
【０００２】
従来、コンタクトレンズ、眼内レンズ、又は涙点プラグ等の眼用デバイスには、矯正、美容、又は治療的品質を有する生体適合性デバイスが含まれていた。コンタクトレンズは、例えば視力矯正機能、美容増進、及び／又は治療効果の１つ又は２つ以上を提供する場合がある。各機能は、レンズの物理的特性によって提供され得る。レンズに屈折性を取り入れた設計により、視力矯正機能を与えることができる。レンズに色素を取り入れることにより、美容増進がもたらされ得る。レンズに活性薬剤を取り入れることにより、治療的機能を与えることができる。かかる物理的特性は、レンズをエネルギー印加した状態にすることなく達成される場合がある。
【０００３】
最近、能動的構成要素がコンタクトレンズ内に内蔵され、この内蔵は、眼用装置内へのエネルギー印加要素の組み込みを伴う場合がある。この効果を達成するための比較的複雑な構成要素は、該構成要素を挿入装置（insert device）の中に含ませ、そしてそれを最先端の眼科用レンズの製造において有用な標準的材料又は同種材料と共に含むことによって、改善された特性を誘導する場合がある。
【０００４】
利用者の眼用レンズに、相互通信可能な能力をもたせることにより、エネルギー印加可能眼用レンズシステムにおいて可能な機能性を拡大する場合がある。無線通信により、１つのレンズが他方のレンズの相対位置を認識できるようになり得ることから、利用者が見ているかもしれない場所のより正確な判定が可能となり得る。無線通信によってまた、２つのレンズが互いに相互作用する、例えば、利用者がまばたき又はウィンクした時に特定のさまざまな動作を引き起こすようにすることが可能となり得る。
【０００５】
利用者上の２つのコンタクトレンズ間の通信は、いくつかの理由から困難なことがある。各コンタクトレンズがバッテリ及び電子的構成要素用に有する面積及び容積は限られている。例えば、スマートフォン内で全構成要素の収容に使用可能な容積が５０，０００ｍｍ３である場合があるのに対し、コンタクトレンズ内でバッテリ及び電子回路の収容に使用可能な容積は２０ｍｍ３未満である場合がある。同様に、スマートフォンでは１４００ｍＡ−Ｈｒの容量を有する場合があるのに対して、コンタクトレンズのバッテリが有する容量は１００μＡ−Ｈｒである場合がある。したがって、各コンタクトレンズの送信機出力電力及び受信機感度は限られる場合がある。
【０００６】
送信機及び受信機の電力低減要求には、典型的に距離の縮小が伴う場合がある。コンタクトレンズは、利用者の眼上にある時にわずか７０ｍｍ程度しか離れていないとはいえ、レンズ間には直接見通し線がないかもしれず、付近の物体からの反射に依存しない直接光通信は不可能な可能性がある。
【０００７】
更に、高周波（ＲＦ）システムが用いられ得る場合、眼と身体の誘電特性とも相まって、コンタクトレンズ内で利用可能なアンテナ面積のために通信効率が低下し得る。信号、決定入力、及びデータの複雑な処理もまた、コンタクトレンズ内では困難であり得る。上述したような面積、容積、及びバッテリ容量上の制限から、プロセッサの寸法、速度、計算複雑性、及び電流消費が制約され得る。例えば、アプリケーションを機能させるためには、コンタクトレンズ内に高性能のマイクロコントローラ又は中央演算処理装置（ＣＰＵ）を含むことが好ましいかもしれないが、現行技術ではそのような集積化が可能とは限らない。
【０００８】
例示的システムには、外部電子装置を用いることなく、注視の輻輳を検知することによって焦点の変更を生じさせ得るものもあるが、２つのコンタクトレンズが注視方向を取得して送信し、輻輳を判定して、焦点変更の必要を信号で知らせる必要がある。これには、レンズ間で注視方向及び焦点変更の情報を伝えるための通信が必要となり得る。更に、このシステムではレンズ間に厳密な同期が求められ得る。単なる輻輳の代わりに注視の方向を追跡するシステムでは、送信及び計算上の要求が更に高いものになり得る。
【０００９】
より大きな外部電子装置を加えることで、通信及び／又は処理上の負荷の一部を外部電子装置に負わせることができ、それによってコンタクトレンズに対する要求を緩和することが可能である。同様の技術は、利用者の送受器のバッテリ容量及び寸法が制限されるために送信機及び受信機の能力及びアンテナ利得が制限されるセルラー通信でも用いられる。このような例では、セルラー基地局内のはるかに大きな寸法及び電流が利用可能であることから、利得、電力、及び計算複雑性をより高くすることができる。
【発明の概要】
【発明が解決しようとする課題】
【００１０】
エネルギー印加可能眼用レンズ間の無線通信の増加に対する解決策には、エネルギーが印加されない装置及びその他の生体医学装置に新規な態様を提供し得るものがあることが予測され得る。結果的に、当該技術分野において改善されたレンズ間無線通信が必要となり得、二次的外部装置の利用が、レンズ間通信に伴う現在の問題の多くに解決策を提供し得る。
【課題を解決するための手段】
【００１１】
外部電子装置、例えばスマートフォン、腕時計、又はタブレットなどを追加することによって、眼用レンズシステムに対する通信要件を緩和し得る。以下に述べるように、このような装置ははるかに大きいバッテリ容量及び通信能力を有し得る。したがって、各コンタクトレンズにとって、共通の外部装置と通信する方が、相互間で通信するよりも容易であり得る。外部電子装置におけるより大きい面積、容積、及びバッテリ容量が利用可能なことから、コンタクトレンズに対する電気的要求が緩和され得る。
【００１２】
例えば、電子装置に高感度の受信機を採用することにより、コンタクトレンズ送信機の出力電力の要求を低減し得る。このような電子装置内の高感度受信機には、低雑音増幅器（ＬＮＡ）、中間利得段、高ダイナミックレンジ及び高解像度アナログデジタル変換器、並びに複合デジタル信号処理を含み得る。例示的実施形態によっては、複合信号処理及びマイクロコントローラ機能をコンタクトレンズに組み入れるのではなく、これらの機能を外部電子装置において実行させ得る。
【００１３】
このようなアプリケーションは、電子装置に現存する構成要素、例えば電子装置のアプリケーションプロセッサ又はＣＰＵ内において実行させることも可能である。外部装置は、より複雑で高感度のトランシーバ回路、例えば送信機及び受信機の利得及び信号処理回路を含んでもよい。
【００１４】
適用例によって、例えばコンタクトレンズが倍率の調整を可能にし得る可変視覚部を含む場合などには、外部装置の有無にかかわらず、コンタクトレンズの機能性がレンズ相互の通信に依存することがある。その他の例示的実施形態では、特に電子装置、例えばコンタクトレンズが外部装置を制御するのに用いられるような電子装置を含むことがある。このような例では、コンタクトレンズに対する要求を緩和するために外部装置を用いてもよい。結果として、当該技術分野において、改善されたレンズ間無線通信が必要となり得、二次的外部装置の利用が、レンズ間通信に伴う現在の問題の多くに解決策を提供し得る。
【００１５】
結果的に、本発明は、外部装置の利用によって無線通信することができる眼用レンズシステムであって、第１の眼上の第１の眼用レンズ及び第２の眼上の第２の眼用レンズを含み、これらのレンズが、外部装置の使用を通してデータを送受信することによって相互に無線通信するように構成され得る、眼用レンズシステムを含む。より具体的には、例示的実施形態によっては、外部装置が、計算能力及びエネルギー印加能力が眼用レンズより高い電子的構成要素を含み得る。
【図面の簡単な説明】
【００１６】
本発明の前述の特徴及び利点、並びに他の特徴及び利点は、以下の付属の図面に示される、本発明の好ましい実施態様のより詳細な説明から明らかとなるであろう。
【図１Ａ】エネルギー印加可能眼用レンズが外部装置と無線でインターフェース接続することができる場合がある、眼上のエネルギー印加可能眼用レンズの一例示的実施形態の断面図。
【図１Ｂ】外部装置と無線でインターフェース接続することができるエネルギー印加可能眼用レンズの一例示的実施形態の正面図。
【図２Ａ】エネルギー印加可能眼用レンズが外部装置と無線でインターフェース接続することができる場合がある、眼上のエネルギー印加可能眼用レンズの代替的な例示的実施形態の断面図。
【図２Ｂ】外部装置と無線でインターフェース接続することができるエネルギー印加可能眼用レンズの代替的な例示的実施形態の正面図。
【図３Ａ】位置認識機構を備えるエネルギー印加可能眼用レンズをそれぞれ装着した１対の眼の、さまざまな注視方向及び輻輳距離を上から見た図。
【図３Ｂ】位置認識機構を備えるエネルギー印加可能眼用レンズをそれぞれ装着した１対の眼の、さまざまな注視方向及び輻輳距離を上から見た図。
【図３Ｃ】位置認識機構を備えるエネルギー印加可能眼用レンズをそれぞれ装着した１対の眼の、さまざまな注視方向及び輻輳距離を上から見た図。
【図３Ｄ】位置認識機構を備えるエネルギー印加可能眼用レンズをそれぞれ装着した１対の眼の、さまざまな注視方向及び輻輳距離を上から見た図。
【図４】位置認識機構を備えるエネルギー印加可能眼用レンズの一例示的実施形態を示す図。
【図５】位置認識機構を備えるエネルギー印加可能眼用レンズの代替的な例示的実施形態を示す図。
【図６Ａ】外部装置を利用した２つの眼用レンズ間における無線通信の一例示的工程を示す図。
【図６Ｂ】外部装置を利用した２つの眼用レンズ間における無線通信の一例示的工程を示す図。
【図７Ａ】外部装置を利用した２つの眼用レンズ間における無線通信の代替的工程を示す図。
【図７Ｂ】外部装置を利用した２つの眼用レンズ間における無線通信の代替的工程を示す図。
【図７Ｃ】外部装置を利用した２つの眼用レンズ間における無線通信の代替的工程を示す図。
【図８Ａ】外部装置がない状態でシステムを示す図。
【図８Ｂ】外部装置が眼用装置の処理及び／又は通信機能の負荷の軽減、補助、又は増強するシステムを示す図。
【図９】外部装置を含む眼用システムにおける送信機及び受信機の例示的タイミングを示す図。
【発明を実施するための形態】
【００１７】
本発明は、眼用レンズ間で無線通信することができる眼用レンズシステムであって、外部装置の利用により無線通信能力が改善され得ることで、電子的構成要素を収容するためにより大きい容積容量を提供し得る、眼用レンズを記述する。一般に、本発明の例示的実施形態によっては、外部装置が、複雑な無線通信に伴い得る処理及び電源上の負荷の大部分を担い得る。加えて、外部装置が見通し線送信を可能にし得ることから、外部装置の利用によって、より幅広い無線通信方法の利用が可能となり得る。
【００１８】
以下の項では、本発明の例示的な実施形態がより詳細に説明される。好ましい実施形態及び代替の実施形態の両方の説明は、代表的な実施形態に過ぎず、変形、修正、及び代替が当業者にとって明白であり得ることが理解される。したがって、例示的な実施形態は、基礎となる発明の範囲を限定するものではないと理解されるべきである。
【００１９】
用語集
本発明を目的とする本説明及び特許請求の範囲において、以下の定義が適用される、様々な用語が使用され得る。
構成要素とは、本明細書で使用するとき、論理的状態、又は物理的状態の１つ又は２つ以上の変化を生じるためにエネルギー源から電流を引くことができる装置を指す。
【００２０】
電気通信：本明細書で使用する場合、電界の影響を受けることを示す。導電材料の場合、この影響は電流の流れによって生じるか、又は電流の流れをもたらし得る。その他の材料では、例えば、力線に沿う永久又は誘起分子双極子の配向の傾向などの、影響を生じる電位場であり得る。
【００２１】
封入：本明細書で使用する場合、例えば媒体挿入物などの実体を、この実体に隣接する環境から分離するためのバリアを構築することを指す。
【００２２】
封入材：本明細書で使用する場合、実体をこの実体に隣接した環境から分離するバリアを構築する、例えば媒体挿入物などの実体周囲に形成される層を指す。例えば、封入剤は、エタフィルコン、ガリフィルコン、ナラフィルコン、及びセノフィルコンなどのシリコーンハイドロゲル、又はその他のハイドロゲルコンタクトレンズ材料を含み得る。例示的実施形態によっては、封入材を半透過性とすることにより、特定の物質を実体内部に封じ込め、かつ例えば水などの特定の物質が実体に侵入するのを阻止し得る。
【００２３】
エネルギー印加された：本明細書で使用するとき、電流を供給することが可能であるか、又は電気エネルギーを内部に蓄積させることが可能である状態を指す。
【００２４】
エネルギー：本明細書で使用するとき、ある物理系が仕事をする能力のことを指す。本発明で使用される場合の多くは、動作する際に電気的作用を行うことが可能な容量に関連し得る。
【００２５】
エネルギー源：本明細書で使用する場合、エネルギーを供給し、又は論理若しくは電気装置をエネルギーが印加された状態にすることができる場合がある、任意の装置又は層を指す。
【００２６】
イベント：本明細書で使用する場合、既定のパラメータ、例えば特定の対象のバイオマーカーレベル、エネルギー印加レベル、ｐＨレベル、又は視覚的認知などのセットを指す。イベントは、例えば薬物適用レベルのように特定の装着者に特異なこともあれば、例えば体温のようにすべての装着者に一般的に適用可能なこともある。
【００２７】
機能性：本明細書で使用する場合、眼用レンズの、補助的又は付随的機能とは対照的な、基本的用途又は目的を指す。機能性には、例えば視力矯正、活性薬剤の分注、美容、外部装置インターフェース接続、又は立体媒体の三次元知覚などが含まれ得る。対照的に、付随的機能には、基本的目的の実施を可能とするために必要となる動作が含まれ得る。
【００２８】
機能化：本明細書で使用する場合、層又は装置が例えばエネルギー印加、起動、又は制御をはじめとする機能を実行できるようにすることを指す。
【００２９】
眼内レンズ：本明細書で使用する場合、眼内に埋め込み得る眼用レンズを指す。
【００３０】
眼用レンズ又は眼用デバイス又はレンズ：本明細書で使用されるとき、眼内又は眼上に存在する任意のデバイスを指す。デバイスは視力矯正を提供してもよく、美容のためのものであってもよく、又は光学的性質と関係のない何らかの機能性を提供してもよい。例えば、レンズという用語は、コンタクトレンズ、眼内レンズ、オーバーレイレンズ、眼内挿入物、光学挿入物、又はそれを通して視力を矯正若しくは修正し得るか若しくはそれを通して視力を妨げることなく眼の生理機能を美容的に強化し得る（例えば虹彩色）、その他の同様の装置を指し得る。あるいは、レンズは、視力矯正以外の機能、例えば涙液の構成成分のモニタリング又は活性薬剤の投与手段を伴って眼上に配置され得る装置を指すこともある。例示的実施形態によっては、本発明の好ましいレンズは、例えばシリコーンハイドロゲル類及びフロオロハイドロゲル類を含み得るシリコーンエラストマー類又はハイドロゲル類で作られたソフトコンタクトレンズであってよい。
【００３１】
レンズ形成混合物、又は反応性混合物又はＲＭＭ：本明細書で使用する場合、硬化及び架橋し又は架橋して眼用レンズを形成し得る、モノマー組成物及び／又はプレポリマー材料を指す。さまざまな実施形態が、１つ又は２つ以上の添加剤、例えばＵＶ遮断剤、染料、希釈剤、光開始剤、又は触媒、及びコンタクトレンズ若しくは眼内レンズのような眼用レンズにおいて有用であり得るその他の添加剤などを伴う、レンズ形成混合物を含み得る。
【００３２】
液晶：本明細書で使用するとき、従来の液体と固体結晶との間の特性を有する物質の状態を指す。液晶は固体とはみなされないかもしれないが、その分子はある程度の整列を呈する。本明細書で使用する場合、液晶は特定の相又は構造に限定される必要はないが、液晶は特定の静止配向を有し得る。液晶の配向及び相は、液晶の種類に応じて、例えば温度、磁気、又は電気などの外力によって操作し得る。
【００３３】
媒体インサート：本明細書で使用するとき、エネルギー印加眼用デバイス内に含まれることになる封入インサートを指す。媒体インサート内には、エネルギー印加要素及び回路機構が埋め込まれてよい。メディアインサートは、エネルギー印加された眼用デバイスの主目的を規定する。例えば、利用者が屈折力を調節することができるエネルギー印加眼用装置の実施形態においては、媒体挿入物が、光学ゾーン内の液体メニスカス部分を制御するエネルギー印加用要素を含み得る。あるいは、光学ゾーンに材料が存在しないように、媒体挿入物を環状にしてもよい。そのような実施形態では、レンズのエネルギー印加された機能は、光学的な性質のものでなくてもよく、むしろ例えば、グルコースのモニタリング又は医薬品の投与であり得る。
【００３４】
光学ゾーン：本明細書で使用する場合、眼用レンズの使用者がそこを通して見る、眼用レンズの領域を指す。
【００３５】
本明細書において使用するところの「電力」とは、単位時間当たりに行われる仕事又は移送されるエネルギーのことを指す。
【００３６】
本明細書で使用するところの「再エネルギー印加可能又は再充電可能な」とは、仕事をするためのより高い能力の状態に回復させることが可能な能力のことを指す。本発明では、特定の率で特定の再設定された時間の間、電流を流す能力を回復する能力に関連して多く使用され得る。
【００３７】
再エネルギー印加又は再充電：本明細書で使用するとき、仕事をするためのより高い能力を有する状態まで回復することを指す。本発明では、装置を、特定の率で特定の再設定された時間の間、電流を流す能力を有するまでに回復させることに関連して多く使用され得る。
【００３８】
安定化機構：本明細書で使用する場合、眼用装置が眼上に配置され得るときに眼用装置を眼上で特定の方向に安定化する物理的特性を指す。実施形態によっては、安定化機構は、眼用デバイスをバラストで安定させるのに十分な質量を付加し得る。実施形態によっては、安定化機構は前方湾曲表面を変更してよく、まぶたが安定化機構を捉えてよく、使用者はまばたきによってレンズを配置し直してよい。このような例示的実施形態は、質量を付加し得る安定化機構を含むことによって更に強化し得る。例示的実施形態によっては、安定化機構は、封入生体適合性材料とは別の材料であってもよく、成形過程とは別に形成された挿入物であってもよく、又は剛性挿入物又は媒体挿入物中に含まれてもよい。
【００３９】
基材挿入物：本明細書で用いる場合、エネルギー源を支持することができる場合があり、眼用レンズ上又は同レンズ内に配置し得る、成形可能又は剛性の基材を指す。例示的な実施形態によっては、基材インサートは１つ又は２つ以上の構成要素も支持する。
【００４０】
三次元知覚又は三次元ビューイング：本明細書で使用するとき、脳が画像の三次元特性を解釈するように、眼用装置が二次元像を変換する場合を指す。
【００４１】
三次元表面又は三次元基材：本明細書で使用する場合、平面表面とは対照的に、トポグラフィーが特定目的のために設計され得る、三次元的に形成された任意の表面又は基材を指す。
【００４２】
可変光学素子：本明細書で使用する場合、例えばレンズの屈折力又は偏光角などの光学品質を変更する能力を指す。
【００４３】
眼科レンズ
例示的実施形態によっては、エネルギー印加可能眼用レンズの機能性のためにレンズ間の通信が必要となり得る。例えば、眼用レンズは、利用者が立体媒体を三次元として把握できるようにすることが可能であり、それによって、利用者が「３Ｄ」映画、ビデオゲーム、及び番組を、このようなメディアで通常必要とされ得るような「３Ｄ眼鏡」を必要とすることなしに、観ることができるようにし得る。非限定的な例として、３Ｄメディアを示す外部装置は、テレビ、携帯ゲーム装置、又はタブレットを包含し得る。例示的実施形態によっては、立体媒体の再生速度に相当する速度で利用者の視野を交互に遮るレンズを必要とすることがあり、そのために複雑な処理及び電源が必要となることがある。装置は、立体媒体の再生速度を検知することができる場合があり、眼用レンズにおける交互視野遮断を促し得る。
【００４４】
エネルギー印加眼用レンズは、利用者が特定の眼の体操を行うことがある視覚療法を補助し得る。このような体操により、損傷又は見落としに対応する利用者の脳の能力を高め得る。例示的実施形態によっては、キャリブレーションによって目標パラメータのセットを設定し得る。例えば、治療計画によって許容範囲が設定され得る場合において、眼球運動がこの許容範囲から外れたか、又はいつ外れたかを、眼用レンズによって判定することが可能であり得る。
【００４５】
外部装置を用いて注視及び／又は輻輳を追跡する例示的実施形態により、眼用レンズにかかる電源及び処理上の負荷が低減することで、少量のデータを無線で交換し、かつ場合によってレンズ内の機能性を制御し得る機構にエネルギーを印加する能力が要求されるのみとなり得る。外部装置が、インターフェース機構のための主要な処理及び電力源として機能し得ることで、本質的に寸法が限定される眼用レンズにかかる負荷を低減し得る。外部装置の利用により、左右の眼用レンズ間の通信を鼻梁が邪魔する場合には実用的でない恐れのある、見通し線を要求する通信が可能となり得る。
【００４６】
図１Ａ及び２Ａを参照すると、外部装置とのインターフェース能力を備えたエネルギー印加眼用レンズ１１０、２６０の例示的実施形態が、眼１００、２５０上に示されている。図１Ｂ及び２Ｂは眼用レンズ１１０、２６０の正面図を示す。図１Ａ及び１Ｂに示すように、眼用レンズ１１０は、軟性の生体適合性部分１１４、受信機及び／又は送信機を備えたプロセッサ１１２、並びに導電性トレース１１３を含み得る。
【００４７】
態様によっては、眼用レンズ１１０の機能性を増加させ得る追加的電子的構成要素１１１を含み得る。例えば、電子的構成要素１１１は、外部装置からのプロンプトによって、例えば発光ダイオード、振動、又はサウンド装置などを利用したイベントの通知機構を起動させ得る通知機構を含み得る。通知機構は、例えば電話の着信若しくは電子メールの受信などのイベントが外部装置で起こり得る場合、例えばエネルギー印加などのイベントが眼用レンズで起こり得る場合、又は例えばペアリングの成功などのイベントが眼用レンズ１１０と外部装置との間で起こり得る場合に、起動し得る。例示目的で、電子的構成要素１１１をイベント通知機構として説明し得るが、その他の機能性も、実用的かつ望ましいものであり得る。結果的に、このような変形は十分に、本明細書に説明する本発明の技術の範囲内にある。
【００４８】
例示的実施形態によっては、眼用レンズ１１０が電源を含まないこともあり、眼用レンズ１１０は無線エネルギー伝送を通して電力供給を受けてよい。例えば、眼用レンズ１１０を外部装置の特定の近傍に配置することにより、センサ及び通知機構１１１を充電し得る。あるいは、外部装置又は眼用レンズ１１０のいずれかからの関与を求めるプロンプトによって、装置間のインターフェース接続を開始してもよく、外部装置が無線で通知機構１１１に電力供給し得る。
【００４９】
これらの構成要素１１１〜１１３は、媒体挿入物内に封入されるとは限らず、軟性の生体適合性部分１１４が構成要素１１１〜１１３に直接接触してもよい。このような例示的実施形態では、軟性の生体適合性部分１１４が構成要素１１１〜１１３を封入し得る。このように封入することによって、構成要素１１１〜１１３を眼用レンズ１１０内の特定の深さに浮かせて留め置くことができる。あるいは、構成要素１１１〜１１３を基材挿入物上に含めることもできる。基材挿入物を形成し、軟性の生体適合性部分１１４を加える前に、構成要素１１１〜１１３を基材上に配置してよい。
【００５０】
眼２５０上のエネルギー印加眼用装置２６０のための媒体挿入物２５５の代替的な一例示的実施形態を図２Ａに示し、これに対応するエネルギー印加眼用装置２６０を図２Ｂに示す。媒体挿入物２５５は、光学ゾーン２６５を含んでもよいが、この光学ゾーンは、例えば視力矯正をはじめとする第２の機能性を提供してもよいし、しなくてもよい。眼用装置のエネルギー印加機能は視力に無関係であってもよく、媒体挿入物２５５の光学ゾーン２６５には材料が存在しなくてもよい。
【００５１】
例示的実施形態によっては、媒体挿入物２５５は、光学ゾーン２６５内以外に、例えば電源２６３などのエネルギー印加用要素及び例えばプロセッサ２６２などの電子的構成要素を組み込んだ基材を備える部分を含み得る。例示的実施形態によっては、例えばバッテリを含む電源２６３及び例えば半導体ダイを含むプロセッサ２６２が、この基材に取り付けられてよい。このような態様によっては、導電性トレース２６６によって、電子的構成要素２６２、２６１とエネルギー印加用要素又は電源２６３とが電気的に相互接続され得る。
【００５２】
例示的実施形態によっては、媒体挿入物２５５は更に、外部装置との間で無線でインターフェースデータの検知、送信、及び受信を行い得る受信機２６７を含み得る。受信機２６７は、例えば導電性トレース２６６を通して、プロセッサ２６２及び電源２６３と電気的に導通し得る。
【００５３】
例示的実施形態によっては、プロセッサ２６２は、眼用レンズ２６０の機能性のパラメータを設定するようにプログラムされてよい。例えば、眼用レンズ２６０が光学ゾーン２６５内の可変視覚部を含む場合、プロセッサは、エネルギー印加屈折率を設定するようにプログラムされ得る。このような例示的実施形態によれば、同一の構成要素を有しながら独自にプログラムされたプロセッサを含む媒体挿入物の大量生産が可能となり得る。
【００５４】
プロセッサ２６２は、電子的構成要素２６１〜２６３、２６６、２６７の媒体挿入物２５５内への封入前にプログラムされ得る。あるいは、プロセッサ２６２は、封入後に無線でプログラムされてもよい。無線プログラミングを用いることにより、製造工程後に、例えば医院、店舗、又は家庭内のプログラミング機器を通してカスタマイズすることが可能となり得る。例示的実施形態によっては、外部装置が眼用レンズ２６０をプログラミングすることができる場合がある。
【００５５】
例示目的で、媒体挿入物２５５を、光学ゾーン２６５内の部分を含まない場合がある環状の実施形態に示し得るが、機能性挿入物の機械的実施についてはいくつかの可能性が存在し得る。しかしながら、媒体挿入物２５５の機能性が視覚に関連し得る場合には、媒体挿入物２５５は、光学ゾーン２６５内にエネルギー印加可能要素を含み得る。例えば、媒体挿入物２５５は可変視覚部を含んでよく、媒体挿入物２５５は異なるエネルギー印加レベルに基づいて多様な視力矯正力を提供し得る。例示的実施形態によっては、外部装置が可変視覚部のための制御機構、又はその他の調整可能な機能性を含み得る。例えば、可変視覚部を、老視の利用者などのために、見る距離に基づいて調整可能とし得る。このような例示的実施形態では、以下に図３Ａ〜３Ｄとの関連で説明するように、左右の眼用レンズ間の無線通信によって、眼用レンズシステムが輻輳を検知することが可能となり得る。
【００５６】
媒体挿入物２５５は、完全に封入されることによって、エネルギー印加用要素２６３、トレース２６６、及び電子的構成要素２６１、２６２、２６７を保護し、封じ込めることができる。例示的実施形態によっては、封入材料を半透過性とすることで、例えば、水などの特定の物質が媒体挿入物２５５に入るのを防ぎ、かつ周囲気体若しくはエネルギー印加用要素内の反応副産物などの特定の物質が媒体挿入物２５５内に浸透し又は同媒体挿入物から脱出できるようにし得る。
【００５７】
例示的実施形態によっては、生分解性ポリマー材料を含み得る眼用装置内２６０内に媒体挿入物２５５が含まれる場合がある。眼用装置２６０は、剛性中央部分−軟性スカート設計を含み得、中央の剛性光学素子が媒体挿入部２５５を含む。具体的な実施形態によっては、媒体挿入部２５５が、大気及び角膜表面とそれぞれ前面及び後面において直接接触してもよく、あるいは、媒体挿入物２５５が眼用装置２６０内に封入されてもよい。眼用装置２６０の周辺部２６４は、例えばハイドロゲル材料などの重合反応性モノマー混合物を含む軟性スカート材料であってよい。
【００５８】
ここで図３Ａ〜３Ｄを参照すると、さまざまな方向及びさまざまな距離で物体３１０を注視する１対の眼が図示されており、基準点を設定するために軸３１１が与えられている。例示目的で、軸３１１の正のｙ軸を超える点は軸３１１内の点より遠いと考えてよく、負のｙ軸より前の点は軸３１１内の点より近いと考えてよい。
【００５９】
図３Ａに示すように、物体３１０を遠い距離に見得る場合には、両眼とも同様又は同一の方向で注視し得、輻輳は小さい。例えば、物体３１０を特定の距離から見る場合、右眼３０５の注視は軸３１１と点３０４で交差し得、左眼３００の注視は軸３１１と点３０１で交差し得る。図３Ｂに示すように、物体３１０を近い距離で見得る場合、眼はなお前方を注視するが、輻輳し得る。例えば、物体を越えて軸３１１へと延長した場合、右眼３０５の注視は軸３１１と点３２２で交差し得、左眼３００の注視は軸３１１と点３２３で交差し得る。
【００６０】
図３Ｃに示すように、物体３１０が中心より左に位置する場合、左眼は前方を見得るが、右目は左を見るようにシフトし得る。例えば、左眼３００の注視は軸３１１と点３４１で交差し得、右眼３０５の注視は軸３１１と点３４２で交差し得る。図３Ｄに示すように、物体３１０が中央より右に位置し得る場合、図３Ｃとは反対のことが起こり得る。例えば、左眼３００の注視は軸３１１と点３６３で交差し得、右眼３０５の注視は軸３１１と点３６４で交差し得る。
【００６１】
態様によっては、図示のように、右目３０５の注視は、近い物体３１０を見ている時（図３Ｂ）と物体を中心より左に見ている時（図３Ｃ）とで、同一の点３２２で軸３１１と交差し得る。同様に、図示のように、左目３００の注視は、遠い物体３１０を見ている時（図３Ａ）と物体３１０を中心より左に見ている時（図３Ｃ）とで、同一の点３０１で軸３１１と交差し得る。右眼用レンズ３１６が左眼用レンズ３１５と通信しない場合があるときには、レンズ及び外部回路は、図３Ａと図３Ｂとの間で示されるような距離の変化によって促される注視の変化、及び図３Ｃと図３Ｄとの間で示されるような方向の変化によって促される注視の変化を判別できないことがあり得る。
【００６２】
ここで図４及び５を参照すると、位置認識機構４０５、５０５を備えたエネルギー印加眼用レンズ４００、５００が示されている。眼上に位置付けられる眼用レンズ４００、５００内に組み込まれた瞳孔位置及び輻輳検知システム４０５、５０５によって、瞳孔、眼用レンズ４００、５００又はこれら両方の位置を追跡し得る。例えば、検知システムは、瞳孔を観測することができる（capable or observing）反対向きにした光検知器、又は眼球運動を追跡することができる加速度計を含んでよい。
【００６３】
図４に示すように、位置認識機構４０５は、眼用レンズ４００の背後の眼球運動を検知し得、かつ／又は眼用レンズ４００の前のまぶたの位置を検知し得る。例示的実施形態によっては、眼用レンズ４００は、センサアレイ４０５を含み得る。眼用レンズ４００がまぶた位置を検知し得る場合には、センサアレイ４０５は１つ又は２つ以上の光センサを含み得る。このような光センサは、眼用レンズ４００上の好適な位置に配置されることにより、透明な光学ゾーンを遮ることなしにまぶたの位置を確実に判定するのに十分なサンプル位置を提供し得る。例えば、図示のように、センサの垂直線を光学ゾーン４１５の外側に配置することができる。
【００６４】
まぶたが開位置にあり得る場合には、光センサ４０５のすべて又は大部分が周辺光を受信するために露出されてもよく、眼用レンズ４００内に含まれる電子回路によって検知可能な光電流が生成され得る。まぶた位置の変化によって、光センサのいくつか又はすべての周辺光露出が制限され得る。変動する光電流レベルに基づいて、眼用レンズがまぶたの位置を検知できる場合がある。
【００６５】
まぶた検知装置があることで、眼用レンズ及び／又は外部装置が、意図的なまばたき又はウィンクパターンを含み得る眼のジェスチャーを認識できるようになり得る。好適な実施形態によっては、まぶた検知を輻輳検知と組み合わせ得る。このような組合せにより、眼用レンズが意図的なまぶた位置変化と、例えばさまざまな距離にある物体間における焦点変化によって生じ得る無意識のまぶた位置変化とを判別できるようになり得る。
【００６６】
例示的実施形態によっては、光検知器アレイ４０５を後ろ向きにすることによって、眼用レンズ４００が注視を追跡できるようにしてもよい。光検知器アレイ４０５への光は、瞳孔の外側に位置する場合には遮断され得る。眼が注視を変え得る場合、光検知器４０５の一部が、瞳孔を通して反射された光に露出されることがある。結果的に、眼用レンズ４００は安定化機構４１０を含み得るが、この安定化機構により、安定化眼用レンズ４００の背後で眼が動けるようになり得る。
【００６７】
図５に示すように、瞳孔位置及び輻輳検知システムは、数個の構成要素を含んでよく、これによって、例えば三軸加速度計５０５、電源５１０、トランシーバ５１５、並びに信号調整回路及びメモリを備える制御装置５２０を含むような、より複雑なシステムが形成され得る。２つの眼用レンズ間の通信チャネルによって、瞳孔位置及び輻輳検知システムが瞳孔位置に同期できるようにし得る。
【００６８】
例示的実施形態によっては、眼用レンズ５００が眼とともに動き得る。このような実施形態では、眼用レンズ５００が１つ又は２つ以上の位置認識機構、例えば加速度計５０５を含み得る。このような実施形態によっては、加速度計５０５が、例えば圧電セラミック又は水晶を含む、圧電性、ピエゾ抵抗性、又は容量性の構成要素を含んでよい。加速度計５０５は、微小電気機械システム（ＭＥＭＳ）を含んでもよい。他の実施形態、例えば図４に示すようなものでは、眼用レンズ４００が安定化機構４１０によって安定化されてよく、眼はレンズ４００の背後で動き得る。
【００６９】
眼用レンズは、外部装置を通してキャリブレーションし得、キャリブレーションによって利用者の選好と属性を設定し得る。キャリブレーションによって、レンズが利用者の眼球運動をより正確に追跡できるようにし得る。キャリブレーション処理により、外部装置、眼用レンズ、又はその両方に基本データが提供され得る。態様によっては、キャリブレーションで眼用レンズをプログラムすることにより、眼球運動に対してレンズがどのように動くかを眼用レンズが認識するようにし得る。
【００７０】
キャリブレーションによって、外部装置が意図的な眼球運動と不随意の眼球運動、例えば眼振による動きとを判別できるようにし得る。キャリブレーション工程では、外部装置のスクリーン上の物体を、既定長さの時間の間、見るように利用者を促し得る。その時間の間中、外部装置は、速度、方向、及び初期焦点からの距離をはじめとする不随意運動データを記録又は認識し得る。
【００７１】
このようなキャリブレーションに基づいて、外部装置は不随意運動データを認識し無視する、つまり電子装置において一般的に行われ得るように、そのようなデータを雑音と同様に扱うことができるようになり得る。利用者が重症又は問題のある眼振を有する場合、随意的と不随意的な眼球運動を区別するのに、キャリブレーションでは不十分なこともある。このような実施形態によっては、不随意眼球運動の「雑音」を適切に克服するために、特殊な眼用レンズ、外部装置内の追加的ソフトウェア、又は両者の組合せが必要となることがある。外部装置がキャリブレーション結果を保存し、そのキャリブレーションに基づいて、１つのレンズからの位置データを処理し得る。結果として、他方の眼に送信される位置データは既に調整済みであり得ることから、眼用レンズにかかる処理負荷が一部軽減される。
【００７２】
キャリブレーションによって、誤った眼にレンズを装着する危険性が抑制され得る。例えば、キャリブレーションによって右眼が特定の識別文字列を備えた眼用レンズを装着していることを確認し得、このことが各位置データとともに送信され得るか、又はペアリングを開始するために送信され得る。右レンズが左眼上に配置されている可能性がある場合、位置データが、設定された正常範囲外に出てしまう、例えば、位置データによって、各眼が反対方向を見ているように示されることがあり得る。このような態様では、通知機構が起動し、レンズが誤った眼に配置された可能性があることを利用者に警告し得る。
【００７３】
ここで図６Ａ及び６Ｂを参照すると、外部装置６１５を用いた眼用レンズ間の通信工程の一例示的実施形態が図示されている。例示目的で、外部装置６１５を、スクリーンを備える携帯装置、例えばスマートフォンとして示す。例示的実施形態によっては、図６Ａの工程６００において、左レンズ６０５及び右レンズ６１０が位置データを外部装置６１５に送信し得る。この送信は、外部装置６１５と眼用レンズ６０５、６１０との間の電力制限に応じて、周期的であってもよいし、又はほぼ持続的であってもよい。例えば、外部装置６１５がレンズ６０５、６１０に電力を供給する場合には、眼用レンズ６０５、６１０が独自の電源を含み得る場合に比較して、サンプルレート及び送信速度を高くし得る。左レンズ６０５及び右レンズ６１０は、外部装置６１５又は他方の眼からのプロンプトなしにデータを送信してもよい。図６Ｂの工程６５０において、外部装置６１５が位置データを他方のレンズに送信し得る。例示的実施形態によっては、外部装置６１５から右レンズ６１０への送信を、左レンズ６０５への送信と同期させてもよい。その他の例では、ステップ６５０における左レンズ６０５への送信が、ステップ６００における左レンズからの送信に反応してのものであり得る。
【００７４】
外部装置６１５及び眼用レンズ６０５、６１０は、相補的通信プロトコルを備えてもよく、３つの装置が無線通信できるようにしてもよい。例示的実施形態によっては、通信プロトコルは、例えば赤外線をはじめとする、装置相互が近接して存在することに依存し得る技術を含んでよく、これによって、意図しない外部装置との偶発的な無線通信が抑制され得る。
【００７５】
代替的な例示的実施形態によっては、例えばＢｌｕｅｔｏｏｔｈ技術などの標準的な外部装置が典型的に備える技術を通して、眼用レンズと外部装置との間のペアリングを行えるようにしてもよい。その他の無線通信方法と比較すると、Ｂｌｕｅｔｏｏｔｈ技術は外部装置において比較的一般的であり得、同期のために追加的なハードウェアが不要であり得る。
【００７６】
あるいは、通信プロトコルは、例えばＡＮＴ又はＺｉｇＢｅｅ技術をはじめとする、より低電力の実施形態を含み得る。これによって、眼用レンズが外部装置からの外部装置イベントデータ送信環境を、サンプリングによる電力の損失を抑制しつつ、周期的にサンプリングできるようになり得る。低電力無線プロトコルによって、眼用レンズの潜在的なエネルギー印加可能持続時間が一般に延長され得る。相補的無線プロトコルプロファイルでは、眼用レンズによる、意図する外部装置からの送信の受信が制限され得る。
【００７７】
例示的実施形態によっては、ペアリングが使用に先立って生じ得る。例えば、眼用レンズは、例えば意図する外部装置上にダウンロードし得るアプリケーションソフトウェアを利用することなどにより、特定の外部装置と相互作用するように予めプログラムされ得る。その他のこのような実施形態では、眼用レンズは、特定の眼用レンズ又は眼用レンズパックに特有であり得るシリアル認証コード又は電子履歴管理（ｅペディグリー）を含み得る。眼用レンズを特定する特有のコードは、眼用レンズのブランド又はラインに関連したシリアル化方式に依存して異なり得る。
【００７８】
外部装置は、特定のシリアルコードを認識するようにプログラムされ得る。例示的実施形態によっては、認証シリアル番号に関連し得る最小在庫管理単位（ＳＫＵ）バーコード又はクイックレスポンス（ＱＲ）バーコードをスキャン又は撮影するキャプチャ技術を利用することにより、利用者が外部装置をプログラムし得る。このような態様によっては、ＳＫＵ又はＱＲバーコードが眼用レンズの包装上、例えば個別のブリスターパッケージの上若しくは複数のブリスターパッケージを収容する箱の上、又はその他の一般的な包装手段の上に配置されることもある。眼用レンズとの直接相互作用よりも、包装との相互作用を通してペアリングを開始するほうが、眼用レンズ又は眼の汚染又は損傷を低減する手段として好ましいことがある。
【００７９】
例示的実施形態によっては、スキャンされたコードによって、眼用レンズの識別属性が特定され得る。このような識別によって、外部装置が意図する眼用レンズとのみ通信できるようになり得る。例えば、スキャンされたコードは、その無線通信技術に応じて、認証コード、Ｂｌｕｅｔｏｏｔｈプロファイル、赤外線波長、又は赤外線信号パターンを含み得る。
【００８０】
眼用レンズと外部装置との間の通信に先立って、２つの装置が、例えば無線識別システムを利用することによってシリアル認証又はｅペディグリーを交換又は認証し得る。例示的実施形態によっては、外部装置イベントを誘因として、外部装置が識別又は認証問合せを眼用レンズに送信し得る。問合せは、認証コードの全部若しくは一部を含んでもよいし、又はこれを一切含まなくてもよい。例えば、外部装置はコード全体を送信してよく、コードが眼用レンズのシリアルコードと一致した場合、レンズが、シリアルコード又は正しいシリアルコードの認知を含み得る反応を送信し得る。
【００８１】
あるいは、問合せがシリアルコードの一部を含んでもよく、眼用レンズが残りの部分をもって応答してもよい。文字列がうまくつながれば、更なる無線通信を許可し得る。更なる代替例では、問合せはシリアルコードの部分をまったく送信しなくてもよく、代りに、コード全体を送信するように眼用レンズに促してもよい。外部装置によってシリアルコードが検証された場合には、無線通信を続けてよく、シリアルコードが一致しなければ無線通信を終了し得る。
【００８２】
例示的実施形態によっては、ペアリングが眼上のみで生じ得、利用者又は外部装置の操作者が外部装置を眼用レンズの近傍に配置してよい。ダウンロード可能な携帯アプリケーション又は製造中にインストールされる標準無線ソフトウェアを含むソフトウェアアプリケーションを利用して、利用者が外部装置に、眼用レンズの無線プロファイル又はプロトコルのスキャンを促してもよい。このような初期スキャンによって、外部装置が眼用レンズに、例えば赤外線又はＢｌｕｅｔｏｏｔｈ技術を通してペアリングされ得る。将来の無線通信は、ペアリングに基づいて外部装置が眼用レンズの同一性を検証するところで、行われ得る。
【００８３】
例示的実施形態によっては、眼用レンズが単一の特定外部装置を通して通信し得る。あるいは、眼用レンズは複数の外部装置とペアリングしてもよく、これらの装置のいずれか１つの近傍にあることによって、両レンズ間の無線通信が可能となり得る。例えば、外部装置はデスクトップコンピュータ、テレビ、タブレット、及び／又はスマートフォンを含み得る。利用者は、眼用レンズを４つの外部装置すべてと同期させてよく、これによって、利用者がこれら４つの装置のいずれかの近傍に位置し得る場合、又はより具体的には、利用者がこれら４つの装置のいずれかと関与した時に、レンズ間の通信が可能となり得る。複数の装置を利用することで、利用者が単一の装置のそばに留まらなくても持続的通信ができるようになり得る。
【００８４】
説明のための一例としては、眼用レンズの同一性検証手段として無線周波数識別（ＲＦＩＤ）を用い得る。ＲＦＩＤを通して検証することにより、外部装置が眼用レンズの見通し線上にある必要がなくなり得る。このような実施形態では、無線通信が特定の範囲に限られることはあっても、必ずしも特定の位置には限定されない。例えば、外部装置がバッグ又はポケット内に位置するとしても、外部装置が通信範囲内にあり得る場合には、なお無線通信が生じ得る。
【００８５】
ＲＦＩＤシステムではまた、タグ及びリーダーのタイプに基づいて識別情報交換に必要な電力が低電力で済み得る。例示的実施形態によっては、眼用レンズはパッシブタグを含んでよく、眼用レンズは、外部装置内のアクティブリーダーからの問合せに応答し得る。このような実施形態によれば、眼用レンズ内の電力消費を節約し得る。このような態様では、問合せによって眼用レンズに、外部装置イベントデータのための所定環境のサンプリングを開始するように促すことがある。眼用レンズは、問合せ前には非作動状態であり得るし、例えば認証コードが検証されないことがある場合には、エネルギー節約のため、特定の長さの時間後にサンプリングを停止してよい。あるいは、眼用レンズは、外部装置の存在及びインターフェース接続要求に基づいて変動し得るさまざまなレートでサンプリングを行ってもよい。
【００８６】
ここで図７Ａ〜７Ｃを参照すると、外部装置７１５を用いた眼用レンズ間の通信工程７００、７３０、７７０の代替的な例示的実施形態が図示されている。図６Ａ及びＢにおけると同様に例示目的で、外部装置７１５を、スクリーンを備える携帯装置、例えばスマートフォンとして示す。例示的実施形態によっては、工程７００において、左レンズ７０５が位置データを外部装置７１５に送信してよく、その情報を、ステップ７３０において外部装置７１５が右レンズ７１０に送信してよい。それに応じて、このような例では、工程７７０において右レンズ７１０が位置データを返し得る。
【００８７】
あるいは、工程７７０において右レンズ７１０が位置データを送信しなくてもよい。このような実施形態によっては、両目の相対位置を確定するのに単方向通信で十分なことがある。このような実施形態で見通し線の問題が克服できるとしても、単方向通信では、一方のレンズに、他方よりも多くの処理及び電力能力を備えることが要求され得る。結果的に、このような態様では、外部装置の利用による負担軽減の利益が小さくなり得る。
【００８８】
例示的実施形態によっては、特に、ただ１つのレンズのみがエネルギー印加機能性要素を含み得る場合には、単方向通信がより実用的かつ効率的であり得る。例えば、エネルギー印加可能な眼用レンズは、例えば涙液中のバイオマーカー濃度に基づいてレンズが活性薬剤を分注し得る分注機構を含んでよい。眼用レンズが他方のレンズとバイオマーカーレベルデータを交換してもよいし、一方のレンズが一方的にバイオマーカーレベルデータを他方のレンズに送信してもよい。両目からのデータを利用することで、バイオマーカーレベル及び利用者による活性薬剤の必要性をより正確に評価できるようになり得る。
【００８９】
代替的実施形態によっては、送信アダプタ又はドングル７２０を外部装置７１５に取り付けてもよく、このドングル７２０によって、外部装置７１５が右レンズ７１０及び左レンズ７０５との間で無線によるデータの送受信を行えるようにし得る。このような実施は、例えば眼用レンズ７０５、７１０との通信に必要な無線プロトコルが外部装置７１５に実装されていないかもしれない場合には、好適であり得る。例えば、眼用装置７０５、７１０の設計上の制約により、カスタム低電力通信プロトコルが必要となることがある。
【００９０】
説明のための一例として、送信アダプタ７２０によって、外部装置７１５が赤外線送信を通して眼用レンズ７０５、７１０との間でデータの送受信が行えるようにし得る。例えば送信アダプタ７２０が特定の赤外線波長又はパルスパターンに合わせてキャリブレーションされ得る場合、使用に先立って、送信アダプタ７２０が特定の眼用レンズ７０５、７１０とペアリングされ得る。デジタル通信で一般的であり得るように、通信プロトコルには、装置のアドレス指定、誤り訂正、及び暗号化が含まれ得る。
【００９１】
例示的実施形態によっては、送信アダプタ７２０が、眼用レンズと外部装置との間の非対称通信及びデータ交換を可能とするように特に設計された無線プロトコルを含み得る。このような非対称通信では、処理及び電力負荷が、眼用レンズから、寸法上の制約がレンズより緩和され得る外部装置側にシフトし得る。
【００９２】
図８Ａは、外部装置が存在しないことがあり得るシステムを例示し、図８Ｂは、外部装置が通信及び／又は処理において２つの眼用装置を補助し得るシステムを例示する。眼用装置８０２及び８０４は、例えば、利用者の右及び左眼上のコンタクトレンズを表し得る。各コンタクトレンズは、例えば周辺光レベル、まぶた位置、筋活動、注視方向、及び画像の１つ又は２つ以上を判定しかつ／又は取得するセンサ８０１を包含し得る。センサ８０１をプロセッサ８０５にインターフェース接続するために、例えば増幅器及びアナログデジタル変換器を備える信号調整回路８０３を用い得る。各レンズ８０２、８０４内のプロセッサ８０５が、プログラミングに応じてセンサの入力を考慮し、次いで出力機能を起動することにより、例えば、まばたきパターンが検知され得る場合に可変視覚部の焦点を変化させ得る。レンズはまた、レンズ相互間又は外部装置との通信を可能にするトランシーバ８０７を含み得る。通信チャネルとしては、光、音、超音波、及び高周波を挙げ得るが、これらに限定されない。
【００９３】
図８Ｂでは、両レンズ８０２、８０４が相互間でのみ通信するのと対照的に、外部装置８０６は各レンズと通信し得る。例示的実施形態によっては、レンズ８０２、８０４は、外部装置８０６との通信に加えて相互間の通信を継続し得る。外部装置８０６は、２つの眼用装置８０２、８０４間の通信を補助し得、眼用装置８０２、８０４にかかる処理及び通信負荷を緩和し得る。
【００９４】
利用可能な面積、容積、及びバッテリ容量に対して、眼用装置のアプリケーション要件がかなり厳しいことがある。例えば、筋活動を判定するために取得信号を処理するか又は蓄積用に画像を処理するためには、典型的に中央演算処理ユニット、コプロセッサ、デジタルシグナルプロセッサ、フィールドプログラマブルゲートアレイ（ＦＰＧＡ）、又はマイクロコントローラに関連する計算能力が必要となり得る。ダイ寸法及び／又は電流消費のために、このようなプロセッサを眼用装置内に統合することは不可能であり得る。このような機能を外部装置のほうに回すことができれば、眼用装置内のプロセッサははるかに単純な、例えば、小さくて低電力のカスタム論理ブロックを実施するステートマシンとすることができる。
【００９５】
眼用装置に求められる通信要求もまた、利用可能な寸法及び電流に対してかなり厳しいことがある。外部装置なしには、眼用装置の送信機及び／又は受信機内の電流消費は法外に大きいものになり得る。外部装置８０６は、より高性能の送信機及び受信機８０９並びにプロセッサ８１１を含み得る。例示的実施形態によっては、外部装置のトランシーバ８０９内でミリアンペアの電流が使用し得る場合に、２つの眼用装置８０２、８０４間で通信を行うための平均電流消費がミリアンペアからマイクロアンペアへと低下し得る。このような例示的実施形態によっては、例えば送信機の出力電力、受信機利得、及び符号化のためのオーバーヘッドが低減されることによって、眼用装置トランシーバの複雑性及び電流消費が低減される場合がある。同様に、複雑性は、眼用レンズに比較して寸法及び電流上の制約が少なくて済み得る外部装置においては、より容易に吸収可能である。
【００９６】
ここで図９を参照すると、２つの眼用装置及び１つの外部装置を含むシステムのための送信及び受信タイミングの例示的実施形態が示されている。この例示的な図においては、「オン」状態の送信機及び受信機が「高」状態又はパルスで示され、動作が時間に対してプロットされている。眼用装置からの通信をリスンするために、外部装置の受信機を９０２において周期的にオンとし得る。
【００９７】
第１のパルスの間は、眼用装置からの通信が生じることはなく、結果的に、この周期内は眼用送信機９０８及び９１２も低状態にあり得る。外部受信機９０２の第２の周期内には、眼用送信機１が９０８において出力を送信し得る。例えば、この通信は、右コンタクトレンズから、注視方向を示す加速度計からの三次元座標を送るものであってよい。
【００９８】
外部受信機の第３の周期内に、眼用送信機２が９１２において出力を送信し得る。例示的実施形態によっては、９１２における出力は、９０８における右レンズと同様に、左コンタクトレンズが三次元座標を送るものであってよい。
【００９９】
外部受信機の第４の周期内には、眼用装置からの送信は行われなくてもよいが、外部装置が最新２回の送信からの結果の処理を行い得る。外部装置は、例えば利用者の前の三次元空間内における各レンズの注視方向を計算し、各眼の注視が輻輳する点を判定し得る。更に、外部装置は、検知された注視の輻輳が読むことの要望に関連し得ると判定することがあり、それによって、眼用装置内の可変焦点レンズの起動を促し得る。
【０１００】
９０４において、外部受信機９０２のオフ期間中に、外部受信機が信号を出力し得る。この信号は、眼用装置内のレンズ駆動装置を起動させるための命令を含み得る。また、この時に両方の眼用受信機が９０６及び９０１でリスンする。命令の受信を受けて、眼用装置がそれぞれのレンズを起動させ得る。例示的実施形態によっては、追加的なセンサ入力の処理、タイムベースの同期、及び／又はデータの送信／受信のために、通信が継続され得る（図示せず）。
【０１０１】
挿入を基本とする眼用レンズのための材料
例示的実施形態によっては、レンズのタイプとして、シリコーン含有構成成分を含むレンズを挙げることができる。「シリコーン含有構成成分」は、モノマー、マクロマー、又はプレポリマーに少なくとも１つの［−Ｓｉ−Ｏ−］単位を含有するもであってよい。好ましくは、合計Ｓｉ及び結合Ｏは、シリコーン含有構成成分中に、当該シリコーン含有構成成分の総分子量の約２０重量％より大きい、更に好ましくは３０重量％より大きい量で存在する。有用なシリコーン含有構成成分は、好ましくは、アクリレート、メタクリレート、アクリルアミド、メタクリルアミド、ビニル、Ｎ−ビニルラクタム、Ｎ−ビニルアミド及びスチリル官能基などの重合性官能基が含まれる。
【０１０２】
例示的実施形態によっては、時に挿入物封入層と呼ばれ得る、挿入物を包囲する眼用レンズスカートが、標準的ハイドロゲルレンズ配合物を含み得る。多数のインサート材料と許容可能な調和を呈する特性を備える例示の材料としては、ナラフィルコン系（ナラフィルコンＡ及びナラフィルコンＢを含む）が挙げられる場合がある。あるいは、エタフィルコン系（エタフィルコンＡを含む）が良好な例示の材料の選択肢を表す場合がある。本明細書の技術に合った材料の性質について、より技術的に包括的な説明を以下に行うが、封止及び封入挿入物の許容可能な包囲体又は部分的包囲体を形成し得るいずれの材料もこれに合致し、かつ包含されることは明らかであり得る。
【０１０３】
好適なシリコーン含有構成成分は、式Ｉの化合物を含む：
【化１】
2015061597.tif 000003
式中、
Ｒ１は、一価反応性基、一価アルキル基、又は一価アリール基から独立して選択されてよく、前述のもののいずれも、ヒドロキシ、アミノ、オキサ、カルボキシ、アルキルカルボキシ、アルコキシ、アミド、カルバメート、カーボネート、ハロゲン、又はこれらの組み合わせから選択される官能基を更に含んでもよく、一価シロキサン鎖は１〜１００個のＳｉ−Ｏの反復単位を含み、これは更に、アルキル、ヒドロキシ、アミノ、オキサ、カルボキシ、アルキルカルボキシ、アルコキシ、アミド、カルバメート、ハロゲン、又はこれらの組み合わせから選択される官能基を含み得、
式中、ｂ＝０〜５００であり、ｂが０以外であり得る場合には、ｂは表示した値に等しい最頻値を有する分布であり得ることが理解され、
少なくとも１つのＲ１が一価反応性基を含み、実施形態によっては、１つ〜３つのＲ１が一価反応性基を含む。
【０１０４】
本明細書で使用する場合、「一価反応性基」は、フリーラジカル及び／又はカチオン重合を伴い得る基である。フリーラジカル反応性基の非限定的な例としては、（メタ）アクリレート、スチリル、ビニル、ビニルエーテル、Ｃ１〜６アルキル（メタ）アクリレート、（メタ）アクリルアミド、Ｃ１〜６アルキル（メタ）アクリルアミド、Ｎ−ビニルラクタム、Ｎ−ビニルアミド、Ｃ２〜１２アルケニル、Ｃ２〜１２アルケニルフェニル、Ｃ２〜１２アルケニルナフチル、Ｃ２〜６アルケニルフェニルＣ１〜６アルキル、Ｏ−ビニルカルバメート及びＯ−ビニルカーボネートが挙げられる。カチオン反応性基の非限定的な例としては、ビニルエーテル又はエポキシド基及びこれらの混合物が挙げられる。一実施形態では、フリーラジカル反応性基には、（メタ）アクリレート、アクリルオキシ、（メタ）アクリルアミド、及びこれらの混合物が含まれる。
【０１０５】
好適な一価アルキル及びアリール基としては、非置換の一価Ｃ１〜Ｃ１６アルキル基、Ｃ６〜Ｃ１４アリール基、例えば置換及び非置換のメチル、エチル、プロピル、ブチル、２−ヒドロキシプロピル、プロポキシプロピル、ポリエチレンオキシプロピル、これらの組み合わせなどが挙げられる。
【０１０６】
例示的実施形態によっては、ｂはゼロであり得、１つのＲ１が一価反応性基であり得、少なくとも３つのＲ１が、１〜１６個の炭素原子を有する一価アルキル基から選択され、また別の実施形態では１〜６個の炭素原子を有する一価アルキル基から選択される。本発明のシリコーン構成成分の非限定的な例としては、２−メチル−、２−ヒドロキシ−３−［３−［１，３，３，３−テトラメチル−１−［（トリメチルシリル）オキシ］ジシロキサニル］プロポキシ］プロピルエステル（「ＳｉＧＭＡ」）、
２−ヒドロキシ−３−メタクリルオキシプロピルオキシプロピル−トリス（トリメチルシロキシ）シラン、
３−メタクリルオキシプロピルトリス（トリメチルシロキシ）シラン（「ＴＲＩＳ」）、
３−メタクリルオキシプロピルビス（トリメチルシロキシ）メチルシラン、及び
３−メタクリルオキシプロピルペンタメチルジシロキサンが含まれる。
【０１０７】
別の例示的実施形態では、ｂが２〜２０、３〜１５、又は実施形態によっては３〜１０であり得、少なくとも１つの末端Ｒ１が一価反応性基を含み、残りのＲ１が１〜１６個の炭素原子を有する一価アルキル基から選択され、別の実施形態では１〜６個の炭素原子を有する一価アルキル基から選択される。更に別の実施形態では、ｂが３〜１５であり得、１つの末端Ｒ１が一価反応性基を含み、もう１つの末端Ｒ１が１〜６の炭素原子を有する一価のアルキル基を含み、残りのＲ１が１〜３の炭素原子を有する一価のアルキル基を含む。この実施形態のシリコーン構成成分の非限定的な例には、（モノ−（２−ヒドロキシ−３−メタクリルオキシプロピル）−プロピルエーテル末端のポリジメチルシロキサン（４００〜１０００ＭＷ））（「ＯＨ−ｍＰＤＭＳ］）、モノメタクリルオキシプロピル末端のモノ−ｎ−ブチル末端のポリジメチルシロキサン（８００〜１０００ＭＷ）、（「ｍＰＤＭＳ」）が含まれる。
【０１０８】
別の例示的実施形態では、ｂが５〜４００又は１０〜３００であり得、両末端Ｒ１が一価反応性基を含み、残りのＲ１が、炭素原子間にエーテル結合を有し、かつハロゲンを更に含み得る、１〜１８個の炭素原子を有する一価アルキル基から独立して選択される。
【０１０９】
一例示的実施形態では、シリコーンハイドロゲルレンズが望まれ得る場合に、そこからこのポリマーが作製され得る反応性モノマー構成成分の総重量に対して、少なくとも約２０重量％、好ましくは約２０〜７０重量％のシリコーン含有構成成分を含む反応性混合物から、本発明のレンズが作製される。
【０１１０】
別の例示的実施形態では、１つ〜４つのＲ１がビニルカーボネート又は以下の式のカルバメートを含む。
【化２】
2015061597.tif 000004
式中、ＹはＯ−、Ｓ−又はＮＨ−を表し、
Ｒが水素又はメチルを表し、ｄは１、２、３、又は４であってよく、ｑは０又は１であってよい。
【０１１１】
シリコーン含有ビニルカーボネート又はビニルカルバメートモノマーは、具体的には、１，３−ビス［４−（ビニルオキシカルボニルオキシ）ブト−１−イル］テトラメチル−ジシロキサン、３−（ビニルオキシカルボニルチオ）プロピル−［トリス（トリメチルシロキシ）シラン］、３−［トリス（トリメチルシロキシ）シリル］プロピルアリルカルバメート、３−［トリス（トリメチルシロキシ）シリル］プロピルビニルカルバメート、トリメチルシリルエチルビニルカーボネート、トリメチルシリルメチルビニルカーボネート、及び
【化３】
2015061597.tif 000005
を含む。
【０１１２】
約２００未満の弾性率を有する生体医学装置が望まれる場合、１つのＲ１のみが一価反応性基を含むものとし、残りのＲ１基のうちの２個以下のみが一価シロキサン基を含む。
【０１１３】
別のクラスのシリコーン含有構成成分としては、次の式のポリウレタンマクロマーが挙げられる。
式ＩＶ〜ＶＩ
（＊Ｄ＊Ａ＊Ｄ＊Ｇ）ａ ＊Ｄ＊Ｄ＊Ｅ１、
Ｅ（＊Ｄ＊Ｇ＊Ｄ＊Ａ）ａ ＊Ｄ＊Ｇ＊Ｄ＊Ｅ１又は、
Ｅ（＊Ｄ＊Ａ＊Ｄ＊Ｇ）ａ ＊Ｄ＊Ａ＊Ｄ＊Ｅ１
式中、
Ｄは、炭素原子６〜３０個を有するアルキルジラジカル、アルキルシクロアルキルジラジカル、シクロアルキルジラジカル、アリールジラジカル又はアルキルアリールジラジカルを表し、
Ｇは、炭素原子１〜４０個を有するアルキルジラジカル、シクロアルキルジラジカル、アルキルシクロアルキルジラジカル、アリールジラジカル又はアルキルアリールジラジカルを表し、これは、主鎖中にエーテル、チオ又はアミン結合を含有していてもよい。
＊はウレタン又はウレイド結合を表し、
ａは少なくとも１であってよく、
Ａは次の式の二価重合ラジカルを表し、
【化４】
2015061597.tif 000006
式中、Ｒ１１は独立して、１〜１０個の炭素原子を有し、炭素原子間にエーテル結合を含み得るアルキル又はフルオロ置換アルキル基を表し、ｙは少なくとも１であり、ｐは４００〜１０，０００の部分重量を与え、Ｅ及びＥ１はそれぞれ独立して、以下の式で表される重合性不飽和有機ラジカルを表す。
【化５】
2015061597.tif 000007
式中、Ｒ１２は水素又はメチルであり得、Ｒ１３は水素、１〜６個の炭素原子を有するアルキルラジカル、又はａ−ＣＯ−Ｙ−Ｒ１５ラジカルであり得、Ｙは−Ｏ−、Ｙ−Ｓ−、又は−ＮＨ−であり得、Ｒ１４は１〜１２個の炭素原子を有する二価ラジカルであり得、Ｘは−ＣＯ−又は−ＯＣＯ−を表し、Ｚは−Ｏ−又は−ＮＨ−を表し、Ａｒは６〜３０個の炭素原子を有する芳香族ラジカルを表し、ｗは０〜６であり得、ｘは０又は１であり得、ｙは０又は１であり得、ｚは０又は１であり得る。
【０１１４】
好ましいシリコーン含有構成成分の１つとして、以下の式で表されるポリウレタンマクロマーを挙げ得る。
【化６】
2015061597.tif 000008
式中、Ｒ１６は、イソシアネート基除去後のジイソシアネートのジラジカル、例えばイソホロンジイソシアネートのジラジカルなどであってよい。別の好適なシリコーン含有マクロマーとして、フルオロエーテル、ヒドロキシ末端ポリジメチルシロキサン、イソホロンジイソシアネート、及びイソシアネートエチルメタクリレートの反応によって形成される、式Ｘ（式中、ｘ＋ｙは、１０〜３０の範囲の数であってよい）の化合物を挙げ得る。
【化７】
2015061597.tif 000009
【０１１５】
本発明の使用に好適な他のシリコーン含有構成成分としては、ポリシロキサン、ポリアルキレンエーテル、ジイソシアネート、ポリフッ素化炭化水素、ポリフッ素化エーテル、及び多糖類基を含有するマクロマー、末端のジフルオロで置換された炭素原子に結合する水素原子を有する、極性のフッ素化グラフト又は側基を有するポリシロキサン、エーテルを含有する親水性シロキサニルメタクリレート、並びにポリエーテル及びポリシロキサニル基を含有するシロキサニル結合及び架橋性モノマーが挙げられる。前述のポリシロキサンのいずれもまた、本発明のシリコーン含有構成成分として用い得る。
【０１１６】
最も実用的かつ好ましい実施形態であると考えられるものについて図示及び説明したが、説明及び図示した特定の設計及び方法からの変更はそれ自体当業者にとって自明であり、本発明の趣旨及び範囲から逸脱することなく利用し得ることは明らかであろう。本発明は、説明及び図示される特定の構造に限定されるものではないが、付属の特許請求の範囲に含まれ得るすべての改変例と一貫性を有するものとして構築されなければならない。
【０１１７】
〔実施の態様〕
（１）  外部装置を利用することにより無線通信が可能な眼用レンズシステムであって、
前記外部装置と無線通信するように構成された第１の眼上の第１の眼用レンズであって、
第１のレンズ送信機と、
第１のレンズ受信機と、
前記第１のレンズ送信機及び前記第１のレンズ受信機と電気的通信状態にある第１のレンズプロセッサと、
前記第１の眼上に配置され、かつ前記第１のレンズ送信機、前記第１のレンズ受信機、及び前記第１のレンズプロセッサの１つ又は２つ以上の少なくとも一部を封入するように構成された第１の軟性レンズ部分と、を含み、前記外部装置が、装置電源、装置送信機、装置受信機、並びに、前記装置電源、前記装置送信機、及び前記装置受信機と電気的通信状態にある装置プロセッサを含む、第１の眼用レンズと、
前記第１の眼用レンズ及び前記外部装置の一方又は両方と無線通信するように構成された第２の眼上の第２の眼用レンズであって、
第２のレンズ送信機と、
第２のレンズ受信機と、
前記第２のレンズ送信機及び前記第２のレンズ受信機と電気的通信状態にある第２のレンズプロセッサと、
前記第２の眼上に配置され、かつ前記第２のレンズ送信機、前記第２のレンズ受信機、及び前記第２のレンズプロセッサの１つ又は２つ以上の少なくとも一部を封入するように構成された第２の軟性レンズ部分と、を含み、前記装置プロセッサが、前記第１のレンズプロセッサ及び前記第２のレンズプロセッサの一方又は両方よりも大きい計算能力を有するように構成された、第２の眼用レンズと、を含む、眼用レンズシステム。
（２）  前記第１の眼用レンズ及び前記第２の眼用レンズの一方又は両方が、前記眼用レンズシステムにエネルギーを印加するように構成されたレンズ電源を更に含み、前記レンズ電源が、前記外部装置電源よりも小さいエネルギー印加能力を備える、実施態様１に記載の眼用レンズシステム。
（３）  前記外部装置受信機が、前記第１及び第２のレンズ受信機よりも高い感度を有するように構成された、実施態様１に記載の眼用レンズシステム。
（４）  前記外部装置が、前記眼用レンズシステムにエネルギーを印加することができる、実施態様１に記載の眼用レンズシステム。
（５）  第１の機能性を更に備え、前記第１の機能性が前記眼用レンズシステムの主目的を含む、実施態様１に記載の眼用レンズシステム。
【０１１８】
（６）  前記第１のレンズ受信機及び前記第１のレンズ送信機の一方又は両方が、前記第２のレンズ受信機及び前記第２のレンズ送信機の一方又は両方と通信することができる、実施態様１に記載の眼用レンズシステム。
（７）  前記第１のレンズプロセッサ及び前記第２のレンズプロセッサの一方又は両方が論理ブロックを含む、実施態様１に記載の眼用レンズシステム。
（８）  前記第１の眼用レンズが、前記第１の眼の注視位置又は第１のまぶたのまぶた位置の一方又は両方を追跡するように構成された第１の位置検知機構を更に含む、実施態様１に記載の眼用レンズシステム。
（９）  前記無線通信が、前記第１の眼用レンズと前記外部装置との間の第１のデータの交換と、前記外部装置と前記第２の眼用レンズとの間の第２のデータの交換と、を含む、実施態様１に記載の眼用レンズシステム。
（１０）  前記無線通信が、前記眼用レンズシステムに対して前記外部装置に対してよりも少ないエネルギー及び計算能力を要求するように構成された無線プロトコルを含む、実施態様１に記載の眼用レンズシステム。
【０１１９】
（１１）  前記装置受信機が、低雑音増幅器を含む、実施態様３に記載の眼用レンズシステム。
（１２）  前記眼用レンズシステム及び前記外部装置の一方又は両方が、前記眼用レンズシステムの前記機能性をプログラミング又は操作するように構成される、実施態様５に記載の眼用レンズシステム。
（１３）  前記第２の眼用レンズが、前記第２の眼の注視位置又は第２のまぶたのまぶた位置の一方又は両方を追跡するように構成された第２の位置検知機構を更に含む、実施態様８に記載の眼用レンズシステム。
（１４）  前記第２のデータの交換が、前記外部装置からのデータの前記第２の眼用レンズへの送信を含み、前記送信が前記第１のデータの交換に反応してのものである、実施態様９に記載の眼用レンズシステム。
（１５）  前記外部装置が、前記無線プロトコル用に構成された無線通信機構を含む、実施態様１０に記載の眼用レンズシステム。
【０１２０】
（１６）  前記第１の機能性が、前記第１の眼用レンズの操作を含む、実施態様１２に記載の眼用レンズシステム。
（１７）  前記第１の機能性が、前記第１の眼用レンズと前記第２の眼用レンズとの併せた操作を含む、実施態様１２に記載の眼用レンズシステム。
（１８）  前記第１の位置検知機構と、前記第１のレンズプロセッサ及び前記装置プロセッサの一方又は両方との間、並びに前記第２の位置検知機構と、前記第２のレンズプロセッサ及び前記装置プロセッサの一方又は両方との間のインターフェース接続を可能にするように構成された信号調整機構を更に含む、実施態様１３に記載の眼用レンズシステム。
（１９）  前記眼用レンズシステムが、前記第１の眼と前記第２の眼との間の輻輳を追跡するように構成され、前記輻輳が、前記第１の眼及び前記第２の眼の前記注視位置及び前記まぶた位置の一方又は両方に基づく、実施態様１３に記載の眼用レンズシステム。
（２０）  前記外部装置、前記第１の眼用レンズ、及び前記第２の眼用レンズの１つ又は２つ以上が、前記第１の眼の前記注視位置、前記第２の眼の前記注視位置、前記第１の眼の前記まぶた位置、及び前記第２の眼の前記まぶた位置の１つ又は２つ以上の随意運動と不随意運動とを判別するように構成された、実施態様１３に記載の眼用レンズシステム。
【０１２１】
（２１）  前記無線通信機構がドングルを含み、前記ドングルが前記外部装置に取り付けられるように構成される、実施態様１５に記載の眼用レンズシステム。
（２２）  前記信号調整機構が増幅器を含む、実施態様１８に記載の眼用レンズシステム。
（２３）  前記信号調整機構がアナログデジタル変換器を含む、実施態様１８に記載の眼用レンズシステム。
【図１Ａ】
2015061597.tif 000010
【図１Ｂ】
2015061597.tif 000011
【図２Ａ】
2015061597.tif 000012
【図２Ｂ】
2015061597.tif 000013
【図３Ａ】
2015061597.tif 000014
【図３Ｂ】
2015061597.tif 000015
【図３Ｃ】
2015061597.tif 000016
【図３Ｄ】
2015061597.tif 000017
【図４】
2015061597.tif 000018
【図５】
2015061597.tif 000019
【図６Ａ】
2015061597.tif 000020
【図６Ｂ】
2015061597.tif 000021
【図７Ａ】
2015061597.tif 000022
【図７Ｂ】
2015061597.tif 000023
【図７Ｃ】
2015061597.tif 000024
【図８Ａ】
2015061597.tif 000025
【図８Ｂ】
2015061597.tif 000026
【図９】
2015061597.tif 000027
【外国語明細書】
2015061597000001.pdf